(57)【要約】【課題】ウォーキングの前後や途中にストレッチ体操が音に基づいて行えるストレッチ誘導音機能付き歩数計を提供する。【解決手段】設定登録手段において、複数の目標歩数とこの複数の目標歩数の各々に対応するようにストレッチ体操のための誘導音を設定登録（ステップＳ４）し、ストレッチ誘導音発生手段において、目標歩数の各々に歩数計測手段で計測した実歩数が達した際に（ステップＳ８）、ストレッチ誘導音発生手段ストレッチ誘導音プログラムを順次呼び出して、音声部からストレッチ体操のための誘導音を発生する（ステップＳ９）。【選択図】        図３
2005021363.tif 000002
【特許請求の範囲】
【請求項１】
実歩数を計測する歩数計測手段と、前記歩数計測手段で計測した実歩数の経過に応じてストレッチ体操のための誘導音を発生するストレッチ誘導音発生手段とを備えることを特徴とするストレッチ誘導音機能付き歩数計。
【請求項２】
目標歩数を設定登録する設定登録手段を更に備え、前記ストレッチ誘導音発生手段は、前記設定登録手段で設定登録した目標歩数に、前記歩数計測手段で計測した実歩数が達した際に、ストレッチ体操のための誘導音を発生することを特徴とする請求項１記載のストレッチ誘導音機能付き歩数計。
【請求項３】
前記設定登録手段は、目標歩数を複数設定登録し、前記ストレッチ誘導音発生手段は、前記複数の目標歩数の各々に対応するストレッチ体操のための誘導音を発生することを特徴とする請求項２記載のストレッチ誘導音機能付き歩数計。
【請求項４】
前記設定登録手段は、前記複数の目標歩数の各々に対応するようにストレッチ体操のための誘導音を更に設定登録することを特徴とする請求項３記載のストレッチ誘導音機能付き歩数計。
【請求項５】
前記ストレッチ体操のための誘導音を作成するストレッチ誘導音作成手段を更に備えることを特徴とする請求項１乃至４のいずれか１項に記載のストレッチ誘導音機能付き歩数計。
【請求項６】
前記ストレッチ誘導音作成手段は、パート順位、パート時間、テンポ、拍子及び拍子レベルに基づいて前記ストレッチ体操のための誘導音を作成することを特徴とする請求項５項に記載のストレッチ誘導音機能付き歩数計。
【請求項７】
前記ストレッチ誘導音作成手段は、テンポ、拍子及び拍子レベルに基づいて前記ストレッチ体操のための誘導音を作成することを特徴とする請求項５項に記載のストレッチ誘導音機能付き歩数計。
【請求項８】
前記歩数計測手段は、前記ストレッチ誘導音発生手段でストレッチ体操のための誘導音を発生する際に、実歩数の計測を停止することを特徴とする請求項１乃至７のいずれか１項に記載のストレッチ誘導音機能付き歩数計。
【発明の詳細な説明】
【０００１】
【発明の属する技術分野】
本発明は、ウォーキングの際の歩数の経過に応じてストレッチ体操のための誘導音を発生するストレッチ音機能付き歩数計に関する。
【０００２】
【従来の技術】
近年、健康維持増進のためにウォーキングが周知となり、このウォーキングの管理には、歩数計が不可欠なものとなっている。そして、この歩数計の一つに、被計測者の歩行（ウォーキング）中の脈拍が一定となるように歩行ピッチを指示するためのピッチ音を発生するものがある（例えば、特許文献１参照）。
【０００３】
【特許文献１】
特開平８−８４７０６号公報
【０００４】
【発明が解決しようとする課題】
また、近年、健康維持増進のためにストレッチ体操も周知となっている。そして、ウォーキングの前後や途中に、このストレッチ体操を取り入れることで、歩行運動能力の向上、けがや障害の予防、疲労回復、筋肉痛の軽減、リラックス効果等のメリットを得ることができる。
【０００５】
上述した従来の歩数計は、歩行（ウォーキング）自体を最適に行うためにピッチ音を発生するものであり、ストレッチ体操に利用することができなかった。
【０００６】
そこで、本発明は、上記のような従来の問題点を解決することを目的とするもので、ウォーキングの前後や途中にストレッチ体操が音に基づいて行えるストレッチ誘導音機能付き歩数計を提供することを課題とする。
【０００７】
【課題を解決するための手段】
上記課題を達成するために、本発明のストレッチ誘導音機能付き歩数計は、実歩数を計測する歩数計測手段と、前記歩数計測手段で計測した実歩数の経過に応じてストレッチ体操のための誘導音を発生するストレッチ誘導音発生手段とを備えることを特徴とする。
【０００８】
また、目標歩数を設定登録する設定登録手段を更に備え、前記ストレッチ誘導音発生手段は、前記設定登録手段で設定登録した目標歩数に、前記歩数計測手段で計測した実歩数が達した際に、ストレッチ体操のための誘導音を発生することを特徴とする。
【０００９】
また、前記設定登録手段は、目標歩数を複数設定登録し、前記ストレッチ誘導音発生手段は、前記複数の目標歩数の各々に対応するストレッチ体操のための誘導音を発生することを特徴とする。
【００１０】
また、前記設定登録手段は、前記複数の目標歩数の各々に対応するようにストレッチ体操のための誘導音を更に設定登録することを特徴とする。
【００１１】
また、前記ストレッチ体操のための誘導音を作成するストレッチ誘導音作成手段を更に備えることを特徴とする。
【００１２】
また、前記ストレッチ誘導音作成手段は、前記ストレッチ誘導音作成手段は、パート順位、パート時間、テンポ、拍子及び拍子レベルに基づいて前記ストレッチ体操のための誘導音を作成することを特徴とする。
【００１３】
また、前記ストレッチ誘導音作成手段は、テンポ、拍子及び拍子レベルに基づいて前記ストレッチ体操のための誘導音を作成することを特徴とする。
【００１４】
また、前記歩数計測手段は、前記ストレッチ誘導音発生手段でストレッチ体操のための誘導音を発生する際に、実歩数の計測を停止することを特徴とする。
【００１５】
【発明の実施の形態】
以下、本発明の実施の形態について図面を用いて説明する。
【００１６】
初めに、図１に示す外観図、図２に示すブロック図を用いて、本発明に係わるストレッチ誘導音機能付き歩数計の構成について説明する。
【００１７】
本発明のストレッチ誘導音機能付き歩数計は、ケース１００の外部の表面に、入力部１及び表示部３１を有する。また、ケース１００の内部に、電源部２１、音声部４１、歩数検出部１１、計時部５５、記憶部５４、演算部５２及び制御部５３を有する。
【００１８】
入力部１は、歩数キー２、ストレッチキー３、アップキー５、ダウンキー６、設定キー４及びリセットキー７から成り、開始や切替や設定等の入力を行う。表示部３１は、ＬＣＤ３２から成り、設定事項や計測結果等を表示する。電源部２１は、電池２２から成り、電気系統各部に電力を供給する。音声部４１は、ブザー４２から成り、実歩数が目標歩数に達した場合における報知のときやストレッチ体操を実行する場合における誘導のときに音を発生する。歩数検出部１１は、振り子式センサ１２、増幅回路１３及びＡＤ変換回路１４から成り、歩行（ウォーキング）の際の歩数信号（アナログ信号）を検出してデジタル信号に変換する。
【００１９】
計時部５５は、ストレッチ誘導音を発生する間における時間（テンポ、パート時間等）を計測する。記憶部５４は、目標歩数、ストレッチ誘導音プログラム（既製プログラム、任意プログラム）、任意プログラムを作成するための要素（パート順位、パート時間、テンポ、拍子レベル、拍子）その他各種データを記憶する。演算部５２は、歩数検出部１１からの歩数信号に基づいての実歩数その他各種データを演算する。制御部５３は、入力部１から入力した目標歩数の設定登録、設定登録した目標歩数に演算部５２で算出した実歩数が達した際におけるストレッチ体操のための誘導音の発生、ストレッチ体操のための誘導音の作成その他各種動作を制御する。これら計時部５５、記憶部５４、演算部５２及び制御部５３は、マイコン５１から成る。
【００２０】
なお、歩数検出部１１及びマイコン５１により、実歩数を計測し、ストレッチ体操のための誘導音を発生する際にのみ、この実歩数の計測を停止する歩数計測手段を構成する。また、アップキー５、ダウンキー６、設定キー４及びマイコン５１により、目標歩数とストレッチ体操のための誘導音とを設定登録する設定登録手段を構成する。更に、マイコン５１及び音声部４１により、実歩数の経過に応じて（目標歩数に実歩数が達した際に）ストレッチ体操のための誘導音を発生するストレッチ誘導音発生手段を構成する。更に、アップキー５、ダウンキー６、設定キー４及びマイコン５１により、パート順位、パート時間、テンポ、拍子及び拍子レベルに基づいてストレッチ体操のための誘導音を作成するストレッチ誘導音作成手段を構成する。
【００２１】
次に、図３乃至図１２に示すフローチャート、図１３乃至図１６に示す表示例示図、図１７に示すストレッチ誘導音プログラム例示図を用いて、本発明に係わるストレッチ誘導音機能付き歩数計の動作について説明する。
【００２２】
初めに、図３に示すメインフローチャートを用いて詳述する。
【００２３】
まず、電源オフの状態の際（ステップＳ１）に、歩数キー２がオンされた場合（ステップＳ１で歩数キー）には、電池２２から電気系統各部に電力を供給する（ステップＳ２）。
【００２４】
続いて、設定キー４がオンされたかをマイコン５１により判定する（ステップＳ３）。ここで、設定キー４がオンされた場合（ステップＳ３でＹＥＳ）には、後述する目標歩数・ストレッチ誘導音プログラム設定登録モード（ステップＳ４）に進む。
【００２５】
また、設定キー４がオンされない場合（ステップＳ３でＮＯ）や目標歩数・ストレッチ誘導音プログラム設定登録モードでの処理を終えた場合には、リセットキー７がオンされたかをマイコン５１により判定する（ステップＳ５）。ここで、リセットキー７がオンされた場合（ステップＳ５でＹＥＳ）には、これまでカウントした歩数をクリアする（ステップＳ６）。
【００２６】
また、リセットキー７がオンされない場合（ステップＳ５でＮＯ）には、歩数検出部１１及びマイコン５１により公知の如く実歩数の計測を行う（ステップＳ７）。
【００２７】
続いて、実歩数が目標歩数に達したかをマイコン５１により判定する（ステップＳ８）。ここで、実歩数が目標歩数に達しない場合（ステップＳ８でＮＯ）には、ステップＳ３に戻って処理を繰り返す。
【００２８】
また、実歩数が目標歩数に達した場合（ステップＳ８でＹＥＳ）には、利用者に知らせるためにブザー４２からブザー音を発生する（ステップＳ９）。次いで、歩数検出部１１及びマイコン５１による実歩数の計測を停止する（ステップＳ１０）。
【００２９】
続いて、ストレッチキー３がオンされたかをマイコン５１により判定する（ステップＳ１１）。ここで、ストレッチキー３がオンされない場合（ステップＳ１１でＮＯ）には、ステップＳ３に戻って処理を繰り返す。
【００３０】
また、ストレッチキー３がオンされた場合（ステップＳ１１でＹＥＳ）には、後述するストレッチ誘導音実行モード（ステップＳ１２）に進む。次いで、このストレッチ誘導音実行モード後は、ステップＳ３に戻って処理を繰り返す。
【００３１】
一方、電源オフの状態の際（ステップＳ１）において、ストレッチキー３がオンされた場合（ステップＳ１でストレッチキー）には、電池２２から電気系統各部に電力を供給する（ステップＳ１３）。
【００３２】
続いて、制御部５３におけるカウンタＣ１に“１”をセットする（ステップＳ１４）。次いで、ＬＣＤ３２に表示すべき表示メニューをマイコン５１により判定する（ステップＳ１５）。ここで、カウンタＣ１＝１である場合（ステップＳ１５でＣ１＝１）には、“ストレッチ誘導音実行”をＬＣＤ３２に表示する（ステップＳ１６）。
【００３３】
続いて、いずれのキーがオンされたかをマイコン５１により判定する（ステップＳ１９）。ここで、アップキー５がオンされた場合（ステップＳ１９でアップキー）には、制御部５３におけるカウンタＣ１に“１”をインクリメントし（ステップＳ２０）、ステップ１５に戻って処理を繰り返す。また、ダウンキー６がオンされた場合（ステップＳ１９でダウンキー）には、制御部５３におけるカウンタＣ１に“１”をデクリメントし（ステップＳ２１）、ステップ１５に戻って処理を繰り返す。
【００３４】
また、設定キー４がオンされた場合（ステップＳ１９で設定キー）には、実行するモードをマイコン５１により判定する（ステップＳ２２）。ここで、カウンタＣ１＝１である場合（ステップＳ２２でＣ＝１）には、後述するストレッチ誘導音実行モード（ステップＳ２３）に進む。次いで、このストレッチ誘導音実行モード後は、ステップＳ１５に戻って処理を繰り返す。
【００３５】
なお、上述のステップＳ１５及びステップＳ２２において、カウンタＣ１＝２である場合には、“ストレッチ誘導音任意プログラム作成”の表示（ステップＳ１７）及びストレッチ誘導音任意プログラム作成モード（ステップＳ２４）に進む。また、上述のステップＳ１５及びステップＳ２２において、カウンタＣ１＝３である場合には、“ストレッチ誘導音プログラム確認”の表示（ステップＳ１８）及びストレッチ誘導音プログラム確認モード（ステップＳ２５）に進む。
【００３６】
次に、メインフローチャートにおける目標歩数・ストレッチ誘導音プログラム設定登録モード（ステップＳ４）について、図４に示すサブルーチンフローチャートを用いて詳述する。
【００３７】
まず、図１３に示す表示例示図のように、目標歩数とストレッチ誘導音プログラムを設定登録するための画面をＬＣＤ３２により表示する（ステップＳ４１）。
【００３８】
続いて、いずれのキーがオンされたかをマイコン５１により判定する（ステップＳ４２）。ここで、アップキー５がオンされた場合（ステップＳ４２でアップキー）には、ＬＣＤ３２のカーソル部分（図１３のＰ）の数値表示をインクリメントし（ステップＳ４３）、ステップ４２に戻って処理を繰り返す。また、ダウンキー６がオンされた場合（ステップＳ４２でダウンキー）には、ＬＣＤ３２のカーソル部分（図１３のＰ）の数値表示をデクリメントし（ステップＳ４４）、ステップ４２に戻って処理を繰り返す。
【００３９】
また、設定キー４がオンされた場合（ステップＳ４２で設定キー）には、カーソル部分の数値表示を設定し、カーソル（図１３のＰ）を次の位置に移動する（ステップＳ４５）。なお、このカーソルは、番号１の列のストレッチ開始目標歩数の左側の数値表示から右側の数値表示へ、この右側の数値表示からストレッチ誘導音プログラムのプログラム名表示へ、このプログラム名表示から番号２の列のストレッチ開始目標歩数の左側の数値表示へ、といったように順に移動を行う。
【００４０】
続いて、設定キー４がオンされたかをマイコン５１により判定する（ステップＳ４６）。ここで、設定キー４がオンされない場合（ステップＳ４３でＮＯ）には、ステップ４２に戻って処理を繰り返す。
【００４１】
また、設定キー４がオンされた場合（ステップＳ４６でＹＥＳ）には、このモードにおいて設定したストレッチ開始目標歩数の数値とストレッチ誘導音プログラムのプログラム名を登録（記憶部５４に記憶）し（ステップＳ４７）、このモードを抜けてメインフローチャートに戻る。
【００４２】
次に、メインフローチャートにおけるストレッチ誘導音実行モード（ステップＳ１２及びステップ２３）について、図５に示すサブルーチンフローチャートを用いて詳述する。
【００４３】
まず、制御部５３におけるカウンタＣ６に“１”をセットする（ステップＳ６１）。次いで、カウンタＣ６＝１に対応する目標歩数を記憶部５４から呼び出す（ステップＳ６２）。なお、カウンタＣ６の値は、目標歩数・ストレッチ誘導音プログラム設定登録モードで設定登録の際に、図１３の表示例示図においてＬＣＤ３２に表示した番号に対応している。
【００４４】
続いて、この呼び出した目標歩数と現状の実歩数とを比較する（ステップＳ６３）。ここで、実歩数が目標歩数以上である場合（ステップＳ６３でＹＥＳ）には、カウンタＣ６に“１”をインクリメントし（ステップＳ６４）、ステップ６２に戻って処理を繰り返す。
【００４５】
また、実歩数が目標歩数以上でない場合（ステップＳ６３でＮＯ）には、カウンタＣ６に“１”をデクリメントし（ステップＳ６５）、カウンタＣ６＝Ｃ６−１に対応する目標歩数を記憶部５４から呼び出す（ステップＳ６６）。
【００４６】
続いて、制御部５３におけるカウンタＣ２に“１”をセットする（ステップＳ６７）。次いで、カウンタＣ２＝１に対応するストレッチ誘導音プログラムを記憶部５４から呼び出す（ステップＳ６８）。なお、カウンタＣ２の値は、１から１０までが記憶部５４に予め記憶する既製プログラムＮｏ．１からＮｏ．１０までに対応し、１１から２０までが任意プログラムＮｏ．１からＮｏ．１０までに対応している。
【００４７】
続いて、この呼び出したストレッチ誘導音プログラムと先に呼び出した目標歩数との対応関係が目標歩数・ストレッチ誘導音プログラム設定登録モードで設定登録した対応関係にあるかを判定する（ステップＳ６９）。ここで、対応関係にない場合（ステップＳ６９でＮＯ）には、カウンタＣ２に“１”をインクリメントし（ステップＳ７０）、ステップ６８に戻って処理を繰り返す。
【００４８】
また、対応関係にある場合（ステップＳ６９でＹＥＳ）には、いずれのキーがオンされたかをマイコン５１により判定する（ステップＳ７１）。ここで、アップキー５がオンされた場合（ステップＳ７１でアップキー）には、制御部５３におけるカウンタＣ２に“１”をインクリメントし（ステップＳ７２）、カウンタＣ２＝Ｃ２＋１に対応するストレッチ誘導音プログラムを記憶部５４から呼び出し（ステップＳ７３）、ステップ７１に戻って処理を繰り返す。また、ダウンキー６がオンされた場合（ステップＳ７１でダウンキー）には、制御部５３におけるカウンタＣ２に“１”をデクリメントし（ステップＳ７４）、カウンタＣ２＝Ｃ２−１に対応するストレッチ誘導音プログラムを記憶部５４から呼び出し（ステップＳ７５）、ステップ７１に戻って処理を繰り返す。
【００４９】
また、設定キー４がオンされた場合（ステップＳ７１で設定キー）には、ブザー４２からブザー音（ストレッチ誘導音）を発生し（ステップＳ７６）、このモードを抜けてメインフローチャートに戻る。
【００５０】
次に、メインフローチャートにおけるストレッチ誘導音任意プログラム作成モード（ステップＳ２４）について、図６に示すサブルーチンフローチャートを用いて詳述する。
【００５１】
まず、制御部５３におけるカウンタＣ２に“１１”をセットする（ステップＳ９１）。次いで、カウンタＣ２＝１１に対応するストレッチ誘導音任意プログラム（任意プログラムＮｏ．１）を記憶部５４から呼び出す（ステップＳ９２）。
【００５２】
続いて、いずれのキーがオンされたかをマイコン５１により判定する（ステップＳ９３）。ここで、アップキー５がオンされた場合（ステップＳ９３でアップキー）には、制御部５３におけるカウンタＣ２に“１”をインクリメントし（ステップＳ９４）、ステップ９２に戻って処理を繰り返す。また、ダウンキー６がオンされた場合（ステップＳ９３でダウンキー）には、制御部５３におけるカウンタＣ２に“１”をデクリメントし（ステップＳ９５）、ステップ９２に戻って処理を繰り返す。
【００５３】
また、設定キー４がオンされた場合（ステップＳ９３で設定キー）には、制御部５３におけるカウンタＣ４に“１”をセットし（ステップＳ９６）、後述するパート順位設定モード（ステップＳ９７）に進む。
【００５４】
続いて、このパート順位設定モード後は、制御部５３におけるカウンタＣ５に“１”をセットし（ステップＳ９８）、後述するパート時間設定モード（ステップＳ９９）に進む。
【００５５】
続いて、このパート時間設定モード後は、制御部５３におけるカウンタＣ９に“１”をセットし（ステップＳ１００）、後述するテンポ設定モード（ステップＳ１０１）に進む。
【００５６】
続いて、このテンポ設定モード後は、制御部５３におけるカウンタＣ１１に“１”をセットし（ステップＳ１０２）、後述する拍子設定モード（ステップＳ１０３）に進む。
【００５７】
続いて、この拍子設定モード後は、制御部５３におけるカウンタＣ１０に“１”をセットし（ステップＳ１０４）、後述する拍子レベル設定モード（ステップＳ１０５）に進む。
【００５８】
続いて、この拍子レベル設定モード後は、設定キー４がオンされたかをマイコン５１により判定する（ステップＳ１０６）。ここで、設定キー４がオンされない場合（ステップＳ１０６でＮＯ）には、制御部５３におけるカウンタＣ４に“１”をインクリメントし（ステップＳ１０７）、ステップ９７に戻って処理を繰り返す。
【００５９】
また、設定キー４がオンされない場合（ステップＳ１０６でＹＥＳ）には、これらパート順位設定モード、パート時間設定モード、テンポ設定モード、拍子設定モード及び拍子レベル設定モードにおいて設定した内容を登録（記憶部５４に記憶）し（ステップＳ１０８）、このモードを抜けてメインフローチャートに戻る。
【００６０】
次に、図６に示すサブルーチンフローチャートにおけるパート順位設定モード（ステップＳ９７）について、図７に示すサブルーチンフローチャートを用いて詳述する。
【００６１】
まず、ストレッチ誘導音任意プログラムを設定登録するための画面をＬＣＤ３２により表示する（ステップＳ１２１）。ここでは、ステップＳ９３において任意プログラムＮｏ．３が選択設定されているものとして、以下説明する。図１６に示すように、任意プログラムＮｏ．３を作成する上で必要となる各種要素（パート順位、パート時間、テンポ、拍子、拍子レベル）を表示し、カウンタＣ４＝１に対応するパート順位にカーソルＰが位置（点灯）する。なお、各種要素の関係については、図１７に示す。また、カウンタＣ４の値は、図１６の表示例示図においてＬＣＤ３２に表示するパート順位の番号を示している。
【００６２】
続いて、いずれのキーがオンされたかをマイコン５１により判定する（ステップＳ１２２）。ここで、アップキー５がオンされた場合（ステップＳ１２２でアップキー）には、制御部５３におけるカウンタＣ４に“１”をインクリメントし（ステップＳ１２３）、カーソルＰを対応するパート順位に移動し（ステップＳ１２４）、ステップ１２２に戻って処理を繰り返す。また、ダウンキー６がオンされた場合（ステップＳ１２２でダウンキー）には、制御部５３におけるカウンタＣ４に“１”をデクリメントし（ステップＳ１２５）、カーソルＰを対応するパート順位に移動し（ステップＳ１２６）、ステップ１２２に戻って処理を繰り返す。
【００６３】
また、設定キー４がオンされた場合（ステップＳ１２２で設定キー）には、選択しているパート順位を設定し（ステップＳ１２７）、このモードを抜けてメインフローチャートに戻る。
【００６４】
次に、図６に示すサブルーチンフローチャートにおけるパート時間設定モード（ステップＳ９９）について、図８に示すサブルーチンフローチャートを用いて詳述する。
【００６５】
まず、ストレッチ誘導音任意プログラムを設定登録するための画面をＬＣＤ３２により表示する（ステップＳ１４１）。ここでは、ステップＳ１２１と同様に、任意プログラムＮｏ．３を作成する上で必要となる各種要素（パート順位、パート時間、テンポ、拍子、拍子レベル）を表示し、先に設定したパート順位に対応するパート時間の数値表示位置にカーソルが点灯する。
【００６６】
続いて、いずれのキーがオンされたかをマイコン５１により判定する（ステップＳ１４２）。ここで、アップキー５がオンされた場合（ステップＳ１４２でアップキー）には、制御部５３におけるカウンタＣ５に“１”をインクリメントし（ステップＳ１４３）、カーソル部分の表示を、対応するパート時間に更新し（ステップＳ１４４）、ステップ１４２に戻って処理を繰り返す。また、ダウンキー６がオンされた場合（ステップＳ１４２でダウンキー）には、制御部５３におけるカウンタＣ５に“１”をデクリメントし（ステップＳ１４５）、カーソル部分の表示を、対応するパート時間に更新し（ステップＳ１４６）、ステップ１４２に戻って処理を繰り返す。なお、カウンタＣ５の値は、時間を示している。
【００６７】
また、設定キー４がオンされた場合（ステップＳ１４２で設定キー）には、選択しているパート時間を設定し（ステップＳ１４７）、このモードを抜けてメインフローチャートに戻る。
【００６８】
次に、図６に示すサブルーチンフローチャートにおけるテンポ設定モード（ステップＳ１０１）について、図９に示すサブルーチンフローチャートを用いて詳述する。
【００６９】
まず、ストレッチ誘導音任意プログラムを設定登録するための画面をＬＣＤ３２により表示する（ステップＳ１６１）。ここでは、ステップＳ１２１と同様に、任意プログラムＮｏ．３を作成する上で必要となる各種要素（パート順位、パート時間、テンポ、拍子、拍子レベル）を表示し、先に設定したパート順位に対応するテンポの数値表示位置にカーソルが点灯する。
【００７０】
続いて、いずれのキーがオンされたかをマイコン５１により判定する（ステップＳ１６２）。ここで、アップキー５がオンされた場合（ステップＳ１６２でアップキー）には、制御部５３におけるカウンタＣ９に“１”をインクリメントし（ステップＳ１６３）、カーソル部分の表示を、対応するテンポに更新し（ステップＳ１６４）、ステップ１６２に戻って処理を繰り返す。また、ダウンキー６がオンされた場合（ステップＳ１６２でダウンキー）には、制御部５３におけるカウンタＣ９に“１”をデクリメントし（ステップＳ１６５）、カーソル部分の表示を、対応するテンポに更新し（ステップＳ１６６）、ステップ１６２に戻って処理を繰り返す。なお、カウンタＣ９の値は、時間／拍を示している。
【００７１】
また、設定キー４がオンされた場合（ステップＳ１６２で設定キー）には、選択しているテンポを設定し（ステップＳ１６７）、このモードを抜けてメインフローチャートに戻る。
【００７２】
次に、図６に示すサブルーチンフローチャートにおける拍子設定モード（ステップＳ１０３）について、図１０に示すサブルーチンフローチャートを用いて詳述する。
【００７３】
まず、ストレッチ誘導音任意プログラムを設定登録するための画面をＬＣＤ３２により表示する（ステップＳ１８１）。ここでは、ステップＳ１２１と同様に、任意プログラムＮｏ．３を作成する上で必要となる各種要素（パート順位、パート時間、テンポ、拍子、拍子レベル）を表示し、先に設定したパート順位に対応する拍子の数値表示位置にカーソルが点灯する。
【００７４】
続いて、いずれのキーがオンされたかをマイコン５１により判定する（ステップＳ１８２）。ここで、アップキー５がオンされた場合（ステップＳ１８２でアップキー）には、制御部５３におけるカウンタＣ１１に“１”をインクリメントし（ステップＳ１８３）、カーソル部分の表示を、対応する拍子に更新し（ステップＳ１８４）、ステップ１８２に戻って処理を繰り返す。また、ダウンキー６がオンされた場合（ステップＳ１８２でダウンキー）には、制御部５３におけるカウンタＣ１１に“１”をデクリメントし（ステップＳ１８５）、カーソル部分の表示を、対応する拍子に更新し（ステップＳ１８６）、ステップ１８２に戻って処理を繰り返す。なお、カウンタＣ１１の値は、“１”が４分の４拍子、“２”が４分の３拍子、“３”が４分の２拍子を示している。
【００７５】
また、設定キー４がオンされた場合（ステップＳ１８２で設定キー）には、選択している拍子を設定し（ステップＳ１８７）、このモードを抜けてメインフローチャートに戻る。
【００７６】
次に、図６に示すサブルーチンフローチャートにおける拍子レベル設定モード（ステップＳ１０５）について、図１１に示すサブルーチンフローチャートを用いて詳述する。
【００７７】
まず、ストレッチ誘導音任意プログラムを設定登録するための画面をＬＣＤ３２により表示する（ステップＳ２０１）。ここでは、ステップＳ１２１と同様に、任意プログラムＮｏ．３を作成する上で必要となる各種要素（パート順位、パート時間、テンポ、拍子、拍子レベル）を表示し、先に設定したパート順位に対応する第１音の拍子レベルの数値表示位置にカーソルが点灯する。
【００７８】
続いて、いずれのキーがオンされたかをマイコン５１により判定する（ステップＳ２０２）。ここで、アップキー５がオンされた場合（ステップＳ２０２でアップキー）には、制御部５３におけるカウンタＣ１０に“１”をインクリメントし（ステップＳ２０３）、カーソル部分の表示を、対応する拍子レベルに更新し（ステップＳ２０４）、ステップ２０２に戻って処理を繰り返す。また、ダウンキー６がオンされた場合（ステップＳ２０２でダウンキー）には、制御部５３におけるカウンタＣ１０に“１”をデクリメントし（ステップＳ２０５）、カーソル部分の表示を、対応する拍子レベルに更新し（ステップＳ２０６）、ステップ２０２に戻って処理を繰り返す。なお、カウンタＣ１０の値は、“１”がレベル１（最強音）、“２”がレベル２（強音）、“３”がレベル３（中音）、“４”がレベル４（弱音）を示している。
【００７９】
また、設定キー４がオンされた場合（ステップＳ２０２で設定キー）には、選択している第１音の拍子レベルを設定し（ステップＳ２０７）、カーソルを第２音の拍子レベルの数値表示位置に移動する（ステップＳ２０８）。なお、カーソルは第２音の数値表示位置に移動しているが、制御部５３においては第２音以降すべての拍子レベルを選択している。
【００８０】
続いて、いずれのキーがオンされたかをマイコン５１により判定する（ステップＳ２０９）。ここで、アップキー５がオンされた場合（ステップＳ２０９でアップキー）には、制御部５３におけるカウンタＣ１０に“１”をインクリメントし（ステップＳ２１０）、カーソル部分の表示を、対応する拍子レベルに更新し（ステップＳ２１１）、ステップ２０９に戻って処理を繰り返す。また、ダウンキー６がオンされた場合（ステップＳ２０９でダウンキー）には、制御部５３におけるカウンタＣ１０に“１”をデクリメントし（ステップＳ２１２）、カーソル部分の表示を、対応する拍子レベルに更新し（ステップＳ２１３）、ステップ２０９に戻って処理を繰り返す。
【００８１】
また、設定キー４がオンされた場合（ステップＳ２０９で設定キー）には、選択している第２音以降の拍子レベルを設定し（ステップＳ２１４）、このモードを抜けてメインフローチャートに戻る。
【００８２】
次に、メインフローチャートにおけるストレッチ誘導音プログラム確認モード（ステップＳ２５）について、図１２に示すサブルーチンフローチャートを用いて詳述する。
【００８３】
まず、制御部５３におけるカウンタＣ２に“１”をセットする（ステップＳ２３１）。次いで、カウンタＣ２＝１に対応するストレッチ誘導音プログラム（既製プログラムＮｏ．１）を記憶部５４から呼び出して、ＬＣＤ３２により図１６の表示例示図のように、各種要素（パート順位、パート時間、テンポ、拍子、拍子レベル）をＬＣＤ３２に表示する（ステップＳ２３２）。
【００８４】
続いて、いずれのキーがオンされたかをマイコン５１により判定する（ステップＳ２３３）。ここで、アップキー５がオンされた場合（ステップＳ２３３でアップキー）には、制御部５３におけるカウンタＣ２に“１”をインクリメントし（ステップＳ２３４）、ステップ２３２に戻って処理を繰り返す。また、ダウンキー６がオンされた場合（ステップＳ２３３でダウンキー）には、制御部５３におけるカウンタＣ２に“１”をデクリメントし（ステップＳ２３５）、ステップ２４１に戻って処理を繰り返す。
【００８５】
また、設定キー４がオンされた場合（ステップＳ２３３で設定キー）には、このモードを抜けてメインフローチャートに戻る。
【００８６】
以上が本発明の一実施例についての説明であるが、本発明は、このような一実施例に限定されるものでなく、各部構成及び動作において種々な変形が可能なものである。
【００８７】
例えば、上述の例では、目標歩数とストレッチ誘導音プログラムとを設定登録する態様としたが、図１４の目標歩数設定登録の際の表示例示図のように、目標歩数だけを設定し、その目標歩数に実歩数が達した際に、予め記憶部に記憶しているストレッチ誘導音プログラムを呼び出して、音声部からストレッチ体操のための誘導音を発生しても良い。
【００８８】
また、図１５の目標歩数設定登録の際の表示例示図のように、複数の目標歩数を設定し、目標歩数の各々に実歩数が達した際に、予め記憶部に記憶している複数のストレッチ誘導音プログラムを順次呼び出して、音声部からストレッチ体操のための誘導音を発生しても良い。
【００８９】
また、上述の例では、ストレッチ誘導音プログラムは、複数のスタイルのストレッチを行えるように、パート（パート順位、パート時間）を選択設定する態様としたが、ストレッチ誘導音任意プログラム作成モードにおいてパート順位、パート時間の設定を除いて、単数のスタイルのストレッチを行えるものとしても良い。
【００９０】
【発明の効果】
以上説明したように、本発明によると、実歩数の経過に応じてストレッチ体操のための誘導音を発生するので、ウォーキングの前後や途中にストレッチ体操を行うことができ、歩行運動能力の向上、けがや障害の予防、疲労回復、筋肉痛の軽減、リラックス効果等のメリットを得ることができる。
【００９１】
また、ストレッチ体操のための誘導音を作成することができるので、被計測者の身体や気分の状態に応じて誘導音を発生し、無理やあきが無くストレッチ体操をすることができる。
【００９２】
更に、ストレッチ体操のための誘導音を発生する際に、実歩数の計測を停止するので、継続した実歩数を正確に計測することができる。
【図面の簡単な説明】
【図１】ストレッチ誘導音機能付き歩数計の外観を示す外観図である。
【図２】ストレッチ誘導音機能付き歩数計の構成を示すブロック図である。
【図３】ストレッチ誘導音機能付き歩数計の動作の主たる流れを示すメインフローチャートである。
【図４】メインフローチャートにおける目標歩数・ストレッチ誘導音プログラム設定登録モードの動作の流れを示すサブルーチンフローチャートである。
【図５】メインフローチャートにおけるストレッチ誘導音実行モードの動作の流れを示すサブルーチンフローチャートである。
【図６】メインフローチャートにおけるストレッチ誘導音任意プログラム作成モードの動作の流れを示すサブルーチンフローチャートである。
【図７】メインフローチャートにおけるパート順位設定モードの動作の流れを示すサブルーチンフローチャートである。
【図８】メインフローチャートにおけるパート時間設定モードの動作の流れを示すサブルーチンフローチャートである。
【図９】メインフローチャートにおけるテンポ設定モードの動作の流れを示すサブルーチンフローチャートである。
【図１０】メインフローチャートにおける拍子設定モードの動作の流れを示すサブルーチンフローチャートである。
【図１１】メインフローチャートにおける拍子レベル設定モードの動作の流れを示すサブルーチンフローチャートである。
【図１２】メインフローチャートにおけるストレッチ誘導音プログラム確認モードの動作の流れを示すサブルーチンフローチャートである。
【図１３】目標歩数・ストレッチ誘導音プログラム設定登録の際の表示例示図である。
【図１４】目標歩数設定登録の際の表示例示図である。
【図１５】目標歩数設定登録の際の表示例示図である。
【図１６】任意プログラムを作成する上で必要となる各種要素（パート順位、パート時間、テンポ、拍子、拍子レベル）の表示例示図である。
【図１７】ストレッチ誘導音任意プログラムを作成する上で必要となる各種要素（パート順位、パート時間、テンポ、拍子、拍子レベル）の関係を示す図である。
【符号の説明】
１  入力部
２  歩数キー
３  ストレッチキー
４  設定キー
５  アップキー
６  ダウンキー
７  リセットキー
１１  歩数検出部
１２  振り子式センサ
１３  ＡＤ変換回路
２１  電源部
２２  電池
３１  表示部
３２  ＬＣＤ
４１  音声部
４２  ブザー
５１  マイコン
５２  演算部
５３  制御部
５４  記憶部
５５  計時部
１００  ケース
Ｐ  カーソル
【図１】
2005021363.tif 000003
【図２】
2005021363.tif 000004
【図３】
2005021363.tif 000005
【図４】
2005021363.tif 000006
【図５】
2005021363.tif 000007
【図６】
2005021363.tif 000008
【図７】
2005021363.tif 000009
【図８】
2005021363.tif 000010
【図９】
2005021363.tif 000011
【図１０】
2005021363.tif 000012
【図１１】
2005021363.tif 000013
【図１２】
2005021363.tif 000014
【図１３】
2005021363.tif 000015
【図１４】
2005021363.tif 000016
【図１５】
2005021363.tif 000017
【図１６】
2005021363.tif 000018
【図１７】
2005021363.tif 000019